(57)【要約】【課題】液晶パネルの有する不要な電荷による不具合を改善し検査の効率化が図れる画像表示検査方法および画像表示検査装置を提供することである。【解決手段】液晶パネル１００を画像表示検査装置１に接続した後、画像表示を検査する工程を開始する前に、液晶パネル１００に駆動信号を入力して液晶パネル１００に有する電荷を除去する工程を入れる。また、画像表示を検査する工程が終了した後に、液晶パネル１００に駆動信号を入力して液晶パネル１００に有する電荷を除去する工程を入れる。【選択図】図２
2008129235.tif 000002
【特許請求の範囲】
【請求項１】
液晶パネルの画像表示検査方法であって、
液晶パネルを画像表示検査装置に接続した後、画像表示を検査する工程を開始する前に、前記液晶パネルに駆動信号を入力して前記液晶パネルに有する電荷を除去する工程を入れることを特徴とする液晶パネルの画像表示検査方法。
【請求項２】
液晶パネルの画像表示検査方法であって、
液晶パネルを画像表示検査装置に接続し、画像表示を検査する工程が終了した後に、前記液晶パネルに駆動信号を入力して、前記液晶パネルに有する電荷を除去する工程を入れることを特徴とする液晶パネルの画像表示検査方法。
【請求項３】
請求項１および／または請求項２に記載の画像表示検査方法を用いることを特徴とする液晶パネルの画像表示検査装置。
【発明の詳細な説明】
【技術分野】
【０００１】
本発明は、液晶パネルの画像表示を検査する画像表示検査方法、および、その画像表示検査方法を用いる画像表示検査装置に関するものである。
【背景技術】
【０００２】
近年、電子機器等に用いられる液晶パネルは、高解像度化されてきている。また、市場において、このような液晶パネルを用いる電子機器、例えばプロジェクタ等は、低価格化が望まれている。それに伴って、液晶パネルの製造部門や、液晶パネルを用いてプロジェクタ等の完成品を組み立てる組立部門においては、検査および組み立てにおける品質確保や低コスト化が重要な課題となっている。
【０００３】
このような状況の中、液晶パネルの検査部門においても、液晶パネルの検査時において、液晶パネルの有する不要な電荷により、液晶分子の焼きつきや液晶パネルの静電気破壊等発生する場合があり、検査におけるこれらの不具合を改善することや検査の効率化を図ることが課題となっている。
【０００４】
なお、液晶パネルの検査において、特許文献１では、接触電極プローブを液晶パネルの検査入力電極に接続した後、中間電極の弾性体部材を押込み、中間電極の台座部分と接触電極プローブを接触させることで、液晶パネルに蓄積された電荷を放電させることを行ない、検査での液晶パネルの静電気破壊によるダメージを抑制することが開示されている。
【０００５】
【特許文献１】特開２０００−１５５２９９号公報
【発明の開示】
【発明が解決しようとする課題】
【０００６】
上記、特許文献１の検査方法では、接触電極プローブ等を使用することにより検査を行なうことで、装置が大型化してしまう。また、高解像度化が進んだ液晶パネルにおいては、電極等も高密度化されているため、検査にプローブを使用することは非効率であり、検査の効率化の面において課題があった。
【０００７】
本発明は、上述した課題に鑑みてなされたものであり、液晶パネルの有する不要な電荷による不具合を改善し検査の効率化が図れる液晶パネルの画像表示検査方法および画像表示検査装置を提供することを目的とする。
【課題を解決するための手段】
【０００８】
上述した目的を達成するために、本発明の液晶パネルの画像表示検査方法は、液晶パネルを画像表示検査装置に接続した後、画像表示を検査する工程を開始する前に、液晶パネルに駆動信号を入力して液晶パネルに有する電荷を除去する工程を入れることを特徴とする。
【０００９】
このような画像表示検査方法によれば、電荷を除去する工程を、画像表示を検査する工程を開始する前に入れることにより、画像表示を検査する工程において、液晶パネルの有する不要な電荷による不具合を発生することが防止でき、適正に液晶パネルの画像表示検査を行なうことが可能となり、また、画像表示検査の効率化を図ることが可能となる。
【００１０】
また、上述した目的を達成するために、本発明の液晶パネルの画像表示検査方法は、液晶パネルを画像表示検査装置に接続し、画像表示を検査する工程が終了した後に、液晶パネルに駆動信号を入力して、液晶パネルに有する電荷を除去する工程を入れることを特徴とする。
【００１１】
このような画像表示検査方法によれば、電荷を除去する工程を、画像表示を検査する工程が終了した後に入れることにより、画像表示検査が終了した液晶パネルに対して、検査による不要な電荷を取り除いておくことができるため、検査済みの液晶パネルの品質確保ができる。それにより、次工程（例えば、液晶パネルを用いたプロジェクタの組立工程等）での不具合発生を防止することができる。
【００１２】
また、上述した目的を達成するために、本発明の液晶パネルの画像表示検査装置は、上述したいずれかの画像表示検査方法を用いることを特徴とする。
【００１３】
このような画像表示検査装置によれば、画像表示を検査する工程を開始する前に、電荷を除去する工程を入れること、および／または、電荷を除去する工程を画像表示を検査する工程が終了した後に入れることにより、液晶パネルに有する不要な電荷を取り除く。これにより、画像表示検査工程で不具合を発生することがなく、効率的に検査を行なうことができる画像表示検査装置が実現できる。また、検査済みの液晶パネルの品質確保ができる画像表示検査装置が実現できる。
【発明を実施するための最良の形態】
【００１４】
以下、本発明の実施形態を図面に基づいて説明する。
（第１実施形態）
【００１５】
図１は、本発明の第１実施形態に係る画像表示検査装置の概略の回路ブロック図である。図１を参照して、画像表示検査装置の構成および動作を説明する。
【００１６】
画像表示検査装置１は、本実施形態においては、プロジェクタに用いる液晶パネル１００を検査する専用の装置として構成されている。具体的には、画像表示検査装置１は、メイン制御部１０、電源部２０、バラスト３０、光学系４０、操作部５０、ＩＦ（インターフェース）制御部６０、映像制御処理部７０、コネクタ部７５、光源用冷却ファン９０および液晶パネル用冷却ファン９１等を有して構成されている。
【００１７】
メイン制御部１０は、ＣＰＵ（Central Processing Unit）１１、ＲＯＭ（Read Only Memory）１２およびＲＡＭ（Random Access Memory）１３等を有して構成されている。なお、ＣＰＵ１１は、操作部５０からの指示信号により、ＲＯＭ１２に記憶する画像表示検査に関するプログラムや、映像投写に関するプログラム等を読み込み、ＲＡＭ１３を作業領域として用い、これらのプログラムを実行することにより、画像表示検査装置１の全体の動作を制御している。
【００１８】
電源部２０は、ＡＣ１００Ｖ等の商用電源を入力して、画像表示検査装置１の各種動作に必要な直流の電源電圧およびバラスト３０を動作させるための直流の電源電圧を生成する。バラスト３０は、後述する光学系４０を構成する光源ランプ４１を点灯駆動させる装置および回路で構成される。
【００１９】
映像制御処理部７０は、ＣＰＵ１１の指示により、検査用の画像信号を必要に応じて加工し、コネクタ部７５を介して液晶パネル１００を駆動する。
【００２０】
光学系４０は、光源ランプ４１と投写部４２と液晶パネル１００とを有して構成されている。また、本実施形態での光学系４０は、１枚の液晶パネル１００の画像表示検査を行なう光学系４０として構成されている。そして、液晶パネル１００は、映像制御処理部７０からの検査用の画像信号に基づいて駆動することにより、光源ランプ４１から射出した光束を変調させて、検査用の光学像を形成する。そして、投写部４２は、形成された検査用の光学像を、画像表示検査装置１の外部に設置されるスクリーン５００等に検査用画像として投写する。なお、検査者は、スクリーン５００に投写された検査用画像を視認して、液晶パネル１００を検査する。
【００２１】
なお、本実施形態の画像表示検査装置１は、コネクタ部７５を介して、検査対像となる液晶パネル１００を着脱可能とするように構成されている。具体的には、液晶パネル１００に備えるケーブル１０１を画像表示検査装置１の有するコネクタ部７５に着脱する構成となっている。
【００２２】
光源用冷却ファン９０は、光源ランプ４１が駆動して光束を射出するのに伴って発生する熱を放熱させることにより、光源ランプ４１を冷却する。また、液晶パネル用冷却ファン９１は、光源ランプ４１から射出される光束を変調することにより液晶パネル１００で発生する熱や、図示しない偏光板などで発生する熱に対して、熱を放熱させて、液晶パネル１００や偏光板などを冷却する。
【００２３】
操作部５０は、キーボードで構成され、検査者が検査を行なう場合に、キーボードを押下することで画像表示検査装置１に対して指示を行なう。ＩＦ制御部６０は、キーボードが押下された内容をデジタルコードデータに変換してメイン制御部１０に出力する。また、表示部８０は、操作部５０での操作内容や検査の結果などを表示する。
【００２４】
図２は、画像表示検査装置を用いて画像表示検査を行なう工程の概略を示すフローチャートである。図２を参照して、画像表示検査を行なう場合の検査方法を含めての手順を工程順に説明する。
【００２５】
最初に、検査する液晶パネル１００を画像表示検査装置１に接続する（ステップＳ１０）。具体的には、液晶パネル１００の有するケーブル１０１をコネクタ部７５に接続して、光学系４０により決まる所定の位置に液晶パネル１００を設置する。
【００２６】
次に、画像表示検査装置１の電源を投入する工程（ステップＳ１１）に移行する。画像表示検査装置１には、電源を投入するためのスイッチ（図１では図示省略）が設置されており、そのスイッチを検査者が操作することにより、画像表示検査装置１に電力が供給される。
【００２７】
次に、光源ランプ４１を点灯させる工程（ステップＳ１２）に移行する。画像表示検査装置１には、光源ランプ４１を点灯させるためのスイッチ（図１では図示省略）が設置されており、そのスイッチを検査者が操作することにより、メイン制御部１０が動作し、ＣＰＵ１１は、バラスト３０に駆動させる信号を出力し、バラスト３０は、その信号に基づき駆動する。バラスト３０の駆動により、光源ランプ４１が放電発光することにより光束を射出する。なお、本実施形態では、光源ランプ４１は、放電ランプを用いている。
【００２８】
なお、本実施形態では、ステップＳ１２で光源ランプ４１を点灯させた場合、ＣＰＵ１１は、光源用冷却ファン９０と液晶パネル用冷却ファン９１の動作も開始させる。
【００２９】
次に、本発明の特徴となる、液晶パネル１００の電荷を除去する工程（ステップＳ１３）に移行する。液晶パネル１００は、製造段階などにおいて、内部に電荷を有してしまう。その電荷を有した状態で、後述する画像表示検査を行なった場合、電荷の影響により、適正（正確）な検査が行なえなくなるため、液晶パネル１００の電荷を除去することになる。
【００３０】
ここで、液晶パネル１００の構造と液晶パネル１００の有する電荷の影響とに関して概略説明する。
本実施形態での液晶パネル１００は、透過型の高温ポリシリコンＴＦＴ（Thin Film Transistor）をスイッチング素子として用いたものであり、対向配置される一対の透明基板内に液晶を密封封入して構成されている。また、液晶パネル１００が駆動されない状態において、その液晶は、配向膜により液晶を構成する液晶分子の方向が揃った状態を維持している。しかし、駆動されない状態において、電荷を有している場合には、液晶分子の方向は揃っていない状態となっている。この状態の液晶パネル１００に駆動信号を入力して、液晶パネル１００を駆動しても、液晶パネル１００は、揃っていない量を維持したまま、駆動されることになる。従って、検査用画像を用いて液晶パネル１００を検査しても、揃っていない量の影響により、本来の液晶パネル１００の検査が行なえなくなってしまう。
【００３１】
なお、ステップＳ１３において、液晶パネル１００の電荷を除去する方法として、本実施形態では、液晶分子を強制的に特定方向（一方向）に向かせる駆動を行なうことにより、液晶パネル１００内に有していた電荷（以降、適宜、残留電荷と称する）を放電させている。詳細には、本実施形態では、ＣＰＵ１１は、液晶パネル１００に入射した光束を全透過させる駆動（液晶分子を強制的に一方向に向かせる駆動）を、映像制御処理部７０を介して行なう。全透過させる駆動（全透過させる駆動信号を液晶パネル１００に入力する）を行なうことにより、液晶パネル１００内の残留電荷を放電させることができ、これにより残留電荷を除去している。また、残留電荷を除去することにより、液晶分子の配列状態も正常な配列状態に復帰する。
【００３２】
次に、液晶パネル１００の画像表示検査を行なう工程（ステップＳ１４）に移行する。この工程では、ＣＰＵ１１が、ＲＯＭ１２内に記憶される検査用の画像を生成するプログラムを読み込み、映像制御処理部７０を介して液晶パネル１００を駆動し、投写部４２からスクリーン５００に投写させる。そのスクリーン５００に投写される検査用画像を検査者が確認して、液晶パネル１００の良し悪しを検査する。検査の内容は、液晶パネル１００を構成する画素の欠陥や色合い等を含む所定の検査を行なう。
【００３３】
液晶パネル１００の画像表示検査工程（ステップＳ１４）が終了した後、本発明の特徴となる、液晶パネル１００の電荷を除去する工程（ステップＳ１５）に移行する。ステップＳ１５では、ステップＳ１３で行なったと同様の内容を実施することになる。これにより、前の工程（ステップＳ１４）で液晶パネル１００内に残留する残留電荷を除去させることができる。
【００３４】
なお、本実施形態では、ステップＳ１３からステップＳ１５への工程間の移行は、操作部５０を検査者が操作することにより行なっているが、ＲＯＭ１２内に工程順の動作プログラムを保存し、ＣＰＵ１１が実行しても良い。
【００３５】
次に、光源ランプ４１を消灯する工程（ステップＳ１６）に移行する。この工程は、ステップＳ１２において光源ランプ４１を点灯する際に使用したスイッチを押下することで実施する。スイッチを押下することにより、ＣＰＵ１１は、バラスト３０の駆動を停止させ、光源ランプ４１は発光を停止（消灯）する。
【００３６】
次に、画像表示検査装置１の電源を切る工程（ステップＳ１７）に移行する。この工程により、画像表示検査装置１の動作は停止する。この工程において、画像表示検査装置１の動作が停止するまでのＣＰＵ１１の動作を説明する。前工程（ステップＳ１６）で、光源ランプ４１が消灯した場合、ＣＰＵ１１は、光源用冷却ファン９０と液晶パネル用冷却ファン９１との動作を所定の期間継続させている。その理由は、光源ランプ４１の消灯と同時に光源用冷却ファン９０と液晶パネル用冷却ファン９１とを停止させた場合、光源ランプ４１および液晶パネル１００の余熱により、各々の温度が急に上昇することを防止するためである。そのために、光源ランプ４１および液晶パネル１００の温度上昇がなくなると思われる期間（時間）、光源用冷却ファン９０と液晶パネル用冷却ファン９１との動作を継続する。その期間が終了した場合、ＣＰＵ１１は、電源の供給を停止させる信号を電源部２０に出力することにより、電源部２０は電力の供給を停止する。
【００３７】
次に、液晶パネル１００を画像表示検査装置１から外す工程（ステップＳ１８）に移行する。コネクタ部７５に接続しているケーブル１０１を外し、光学系４０に設置された所定の位置から液晶パネル１００を外すことになる。
以上のフローにより、画像表示検査が行なわれる。
【００３８】
なお、連続して別の液晶パネル１００を検査していく場合の説明を概略行なう。
ステップＳ１５で、画像表示検査が終了し、検査した液晶パネル１００の電荷を除去した後、ステップＳ１８での液晶パネル１００を画像表示検査装置１から外す工程を実行させる。次に、検査する液晶パネル１００をステップＳ１０の液晶パネル１００を画像表示検査装置１に接続する工程を実行させる。次に、ステップＳ１３、ステップＳ１４、ステップＳ１５を順番に実行させる。このような工程を検査数量に応じて繰り返すことにより、液晶パネル１００の画像表示検査を行なうことができる。
【００３９】
また、上述した複数の液晶パネル１００を検査する場合には、ＣＰＵ１１は、光源ランプ４１の点灯を継続させると同時に、光源用冷却ファン９０および液晶パネル用冷却ファン９１の動作を継続させる。
【００４０】
上述した、第１実施形態によれば以下の効果が得られる。
（１）本実施形態の画像表示検査方法によれば、ステップＳ１４で液晶パネル１００の画像表示を検査する工程を実行（開始）する前に、ステップＳ１３で液晶パネル１００に駆動（液晶分子を強制的に一方向に向かせる駆動としての全透過させる駆動）信号、を入力して液晶パネル１００に有する残留電荷を除去する工程を入れている。これにより、液晶パネル１００の有する不要な残留電荷による不具合を発生することがなくなり、本来の液晶パネル１００の検査が適正（正確）に行なえる。そして、残留電荷による不具合の発生を防止することができるため、従来、このような不具合の対処にかかっていた工数を低減でき、液晶パネル１００の画像表示検査の効率化を図ることが可能となる。
【００４１】
（２）また、本実施形態の画像表示検査方法によれば、ステップＳ１４で液晶パネル１００の画像表示を検査する工程を実行（開始）した後に、ステップＳ１５で液晶パネル１００に駆動（液晶分子を強制的に一方向に向かせる駆動としての全透過させる駆動）信号、を入力して液晶パネル１００に有する残留電荷を除去する工程を入れている。これにより、画像表示検査が終了した液晶パネル１００に対して、検査による不要な残留電荷を取り除くことができるため、検査済みの液晶パネル１００の品質確保ができる。それにより、次工程（例えば、液晶パネル１００を用いたプロジェクタの組立工程など）での不具合発生（例えば、液晶パネル１００上に残像が表れることなど）を防止することができる。
【００４２】
（３）また、本実施形態の画像表示検査装置１によれば、画像表示を検査する工程（ステップＳ１４）を開始する前に、電荷を除去する工程（ステップＳ１３）を入れること、および／または、電荷を除去する工程（ステップＳ１５）を画像表示を検査する工程（ステップＳ１４）が終了した後に入れることにより、液晶パネル１００に有する不要な電荷を取り除く。これにより、画像表示検査工程で不具合を発生することがなく、効率的に検査を行なうことができる画像表示検査装置１が実現できる。また、検査済みの液晶パネル１００の品質確保ができる画像表示検査装置１が実現できる。
（第２実施形態）
【００４３】
図３は、本発明の第２実施形態に係る画像表示検査装置の概略の回路ブロック図である。図３を参照して、画像表示検査装置２００の構成および動作を説明する。
【００４４】
画像表示検査装置２００は、本実施形態においては、検査される液晶パネル１００が実際に組み込まれるプロジェクタを改造した装置として構成されている。構成は、第１実施形態での画像表示検査装置１と略同様となっている。具体的には、画像表示検査装置２００は、メイン制御部２１０、電源部２２０、バラスト２３０、光学系２４０、操作部２５０、ＩＦ制御部２６０、映像制御処理部２７０、映像入力部２７１、コネクタ部２７５、光源用冷却ファン２９０および液晶パネル用冷却ファン２９１等を有して構成されている。
【００４５】
画像表示検査装置２００は、光学系２４０の構成部分を改造して、液晶パネル１００を光学系２４０により決まる所定の位置に交換可能に設置している。また、液晶パネル１００はケーブル１０１をコネクタ部２７５に接続する。
【００４６】
メイン制御部２１０は、ＣＰＵ２１１、ＲＯＭ２１２およびＲＡＭ２１３等を有して構成されている。なお、ＣＰＵ２１１は、操作部２５０からの指示信号により、ＲＯＭ２１２に記憶するプロジェクタとしての映像制御に関するプログラムや映像投写に関するプログラム等を読み込む。そして、ＣＰＵ２１１は、ＲＡＭ２１３を作業領域として用い、これらのプログラムを実行することにより、画像表示検査装置２００の全体の動作を制御している。いわゆるプロジェクタとしての全体の動作を制御している。
【００４７】
なお、本実施形態では、メイン制御部２１０は、プロジェクタとしての動作を行なう状態（通常モード）と、画像表示検査装置２００としての動作を行なう状態（検査モード）とを備えている。
【００４８】
そのため、ＲＯＭ２１２には、第１実施形態での画像表示検査のプログラム等が記憶されており、ＣＰＵ２１１は、この画像表示検査のプログラムを読み込み、ＲＡＭ２１３を作業領域として用い、これらのプログラムを実行することにより、画像表示検査装置２００の検査モードにおける制御も行なう。
【００４９】
電源部２２０は、第１実施形態での電源部２０と同様に動作し、ＡＣ１００Ｖ等の商用電源を入力して、画像表示検査装置２００の各種動作に必要な直流の電源電圧およびバラスト２３０を動作させるための直流の電源電圧を生成する。バラスト２３０は、光学系２４０を構成する光源ランプ２４１を点灯駆動させる装置および回路で構成される。
【００５０】
映像制御処理部２７０は、通常モードの場合、ＣＰＵ２１１の指示により、映像入力部２７１から出力された映像信号に対して、フレームレート変換、スケーリング処理などの画像処理や、ブライトネス調整、コントラスト調整、ガンマ補正処理などの画像補正処理などを行なう。そして、コネクタ部２７５を介して液晶パネル１００を駆動する。なお、映像入力部２７１は、プロジェクタとは別に外部から接続される図示しない映像出力装置などからの映像信号を入力する。また、検査モードの場合、映像制御処理部２７０は、検査用の画像信号を必要に応じて加工し、コネクタ部２７５を介して液晶パネル１００を駆動する。
【００５１】
光学系２４０は、光源ランプ２４１と投写部２４２と液晶パネル１００とを有して構成されている。また、本実施形態での光学系２４０は、プロジェクタとして動作するものであり、光源ランプ２４１から射出される光束を、赤色光、緑色光および青色光の３つの色光に分離し、各々の色光を色光毎に設置された液晶パネル１００で変調し、変調した色光を合成して光学像を形成する方式を用いている。いわゆる液晶パネル１００を３枚用いる３板方式を採用している。
【００５２】
液晶パネル１００は、通常モードの場合、映像制御処理部２７０からの画像信号に基づいて駆動することにより、光源ランプ２４１から射出した光束を変調して、検査用の光学像を形成する。そして、投写部２４２は、形成された光学像を、画像表示検査装置２００の外部に設置されるスクリーン５００等に画像として投写する。
【００５３】
また、液晶パネル１００は、検査モードの場合、映像制御処理部２７０からの検査用の画像信号に基づいて駆動することにより、光源ランプ２４１から射出した光束を変調させて、検査用の光学像を形成する。そして、投写部２４２は、形成された検査用の光学像を、画像表示検査装置１の外部に設置されるスクリーン５００等に検査用画像として投写する。なお、検査者は、スクリーン５００に投写された検査用画像を視認して、液晶パネル１００を検査する。
【００５４】
光源用冷却ファン２９０は、光源ランプ２４１が駆動して光束を射出するのに伴って発生する熱を放熱させることにより、光源ランプ２４１を冷却する。また、液晶パネル用冷却ファン２９１は、光源ランプ２４１から射出される光束を変調することにより液晶パネル１００で発生する熱や、図示しない偏光板などで発生する熱に対して、熱を放熱させて、液晶パネル１００や偏光板などを冷却する。
【００５５】
操作部２５０は、キースイッチで構成され、ユーザが、キースイッチを押下することで画像表示検査装置２００に対して指示を行なう。ＩＦ制御部２６０は、キースイッチが押下された内容をデジタルコードデータに変換してメイン制御部２１０に出力する。また、表示部２８０は、操作部２５０での操作内容などを表示する。
【００５６】
本実施形態の画像表示検査装置２００は、プロジェクタとしての動作を行なう通常モードと、画像表示検査装置２００としての動作を行なう検査モードとを備えている。この通常モードと検査モードとを切り替える場合や検査モードにおいて実際に検査する場合には、画像表示検査装置２００の外部に接続する外部制御部３００としてのパソコン（ＰＣ）により行なう。なお、本実施形態の画像表示検査装置２００は、パソコンを用いて検査内容の指示を行なっている。
【００５７】
図４は、画像表示検査装置を用いて画像表示検査を行なう工程の概略を示すフローチャートである。図４を参照して、画像表示検査を行なう場合の検査方法を含めての手順を工程順に説明する。
【００５８】
最初に、検査する液晶パネル１００（本実施形態では３枚の液晶パネル１００）を画像表示検査装置（プロジェクタを改造した装置）２００に接続する（ステップＳ２０）。具体的には、液晶パネル１００の有するケーブル１０１をコネクタ部２７５に各々接続して、光学系２４０により決まる所定の位置に液晶パネル１００を設置する。
【００５９】
次に、画像表示検査装置２００の電源を投入する工程（ステップＳ２１）に移行する。画像表示検査装置２００は、前述したようにプロジェクタ本体を用いているため、プロジェクタと同様に、図示しない電源ケーブルにより、画像表示検査装置２００と商用電源供給部となるコンセントとを接続することにより、画像表示検査装置２００に電力が供給される。
【００６０】
次に、光源ランプ２４１を点灯させる工程（ステップＳ２２）に移行する。画像表示検査装置２００には、プロジェクタと同様に、光源ランプ２４１を点灯させるためのスイッチ（図３では図示省略）が設置されており、そのスイッチを検査者が操作することにより、メイン制御部２１０が動作し、ＣＰＵ２１１は、バラスト２３０を駆動させる信号を出力し、バラスト２３０は、その信号に基づき駆動する。バラスト２３０の駆動により、光源ランプ２４１が放電発光することにより光束を射出する。なお、本実施形態では、光源ランプ２４１は、放電ランプを用いている。
【００６１】
なお、本実施形態では、プロジェクタと同様に、ステップＳ２２で光源ランプ２４１を点灯させた場合、ＣＰＵ２１１は、光源用冷却ファン２９０と液晶パネル用冷却ファン２９１の動作も開始させる。
【００６２】
次に、通常モードから検査モードに移行させる工程（ステップＳ２３）に移行する。上述したように、外部制御部３００としてのパソコン（ＰＣ）を検査者が所定の操作を行なうことにより指示し、ＣＰＵ２１１は、入力された指示信号に基づいて、通常モードから検査モードに移行させる。
【００６３】
次に、本発明の特徴となる、液晶パネル１００の電荷を除去する工程（ステップＳ２４）に移行する。この工程は、第１実施形態で行なったと同様の方法により各液晶パネル１００の内部に有する残留電荷を除去する。詳細は省略する。
【００６４】
次に、液晶パネル１００の画像表示検査を行なう工程（ステップＳ２５）に移行する。この工程は、第１実施形態のステップＳ１４で行なったと略同様の工程となる。ＣＰＵ２１１は、ＲＯＭ２１２内に記憶される検査用の画像を生成するプログラム（本実施形態では、３枚の液晶パネル１００を各々検査するプログラムも含んでいる）を読み込み、映像制御処理部２７０を介して液晶パネル１００を駆動し、投写部２４２からスクリーン５００に投写させる。そのスクリーン５００に投写される検査用画像を検査者が確認して、液晶パネル１００の良し悪しを検査する。検査の内容は、液晶パネル１００を構成する画素の欠陥や色合い等を含む所定の検査を行なう。
【００６５】
液晶パネル１００の画像表示検査工程（ステップＳ２５）が終了した後、本発明の特徴となる、液晶パネル１００の電荷を除去する工程（ステップＳ２６）に移行する。ステップＳ２６では、ステップＳ２４で行なったと同様の内容を実施することになる。これにより、前の工程（ステップＳ２５）で各液晶パネル１００内に残留する残留電荷を除去させることができる。
【００６６】
なお、本実施形態では、ステップＳ２４からステップＳ２６への工程間の移行は、検査者がパソコン（ＰＣ）を操作し、指示することで行なっているが、ＲＯＭ２１２内に工程順の動作プログラムを保存し、ＣＰＵ２１１が実行しても良い。
【００６７】
次に、液晶パネル１００を画像表示検査装置２００から外す工程（ステップＳ２７）に移行する。コネクタ部２７５に接続しているケーブル１０１を各々外し、光学系２４０に設置された所定の位置から各液晶パネル１００を外すことになる。
ここまでの工程により、各色光に対応した３枚の液晶パネル１００の画像表示検査が終了する。
【００６８】
なお、ステップＳ２７の工程を実行した後も、ＣＰＵ２１１は、バラスト２３０の動作を継続させて、光源ランプ２４１を点灯し続ける。併せて、ＣＰＵ２１１は、光源用冷却ファン２９０と液晶パネル用冷却ファン２９１の動作を継続させる。
【００６９】
次に、連続して、検査する別の液晶パネル１００（次に検査する３枚の液晶パネル１００）を画像表示検査装置２００に接続する工程（ステップＳ２８）に移行する。なお、別の液晶パネル１００を画像表示検査装置２００に接続する方法はステップＳ２０と同様である。
【００７０】
次に、本発明の特徴となる、液晶パネル１００の電荷を除去する工程（ステップＳ２９）に移行する。この工程は、上述したステップＳ２４と同様であるため、説明は省略する。次に、液晶パネル１００の画像表示検査を行なう工程（ステップＳ３０）に移行する。この工程は、上述したステップＳ２５と同様であるため、説明は省略する。液晶パネル１００の画像表示検査工程（ステップＳ３０）が終了した後、次に、本発明の特徴となる、液晶パネル１００の電荷を除去する工程（ステップＳ３１）に移行する。この工程は、上述したステップＳ２６で行なったと同様であるため、説明は省略する。
【００７１】
次に、液晶パネル１００を画像表示検査装置２００から外す工程（ステップＳ３２）に移行する。この工程は、上述したステップＳ２７と同様であるため、説明は省略する。
ステップＳ２８からステップＳ３２までの工程により、上述した別の３枚の液晶パネル１００の画像表示検査が終了する。
【００７２】
次に、連続して、別の液晶パネル１００（３つ目の液晶パネル１００）を検査する場合には、次の工程に移行する。詳細には、ステップＳ２８からステップＳ３２を繰り返す工程（ステップＳ３３）に移行する。
【００７３】
ステップＳ３３では、以下の工程を行なうことになる。最初に、別の液晶パネル１００（次に検査する３枚の液晶パネル１００）を画像表示検査装置２００に接続する工程（ステップＳ２８）を行なう。次に、液晶パネル１００の電荷を除去する工程（ステップＳ２９）を行なう。次に、液晶パネル１００の画像表示検査を行なう工程（ステップＳ３０）を行なう。次に、再び液晶パネル１００の電荷を除去する工程（ステップＳ３１）を行なう。最後に、液晶パネル１００を画像表示検査装置２００から外す工程（ステップＳ３２）を行なうことにより、３枚の液晶パネル１００の画像表示検査が終了する。
【００７４】
４つ目以降の液晶パネル１００に対しても、同様に、ステップＳ２８からステップＳ３２を繰り返すことにより、液晶パネル１００の画像表示検査を最後の液晶パネル１００まで行なうことになる。
【００７５】
このようにして、検査する液晶パネル１００が終了した場合には、次に、検査モードから通常モードに移行させる工程（ステップＳ３４）に移行する。この工程は、外部制御部３００としてのパソコン（ＰＣ）を検査者が所定の操作を行なうことにより指示し、ＣＰＵ２１１は、入力された指示信号に基づいて、検査モードから通常モードに移行させる。
【００７６】
次に、光源ランプ２４１を消灯する工程（ステップＳ３５）に移行する。この工程は、ステップＳ２２において光源ランプ２４１を点灯する際に使用したスイッチを押下することで実施する。スイッチを押下することにより、ＣＰＵ２１１は、バラスト２３０の駆動を停止させることにより、光源ランプ２４１は発光を停止（消灯）する。
【００７７】
次に、画像表示検査装置２００の電源を切る工程（ステップＳ３６）に移行する。この工程により、画像表示検査装置２００の動作は停止する。この工程は、光源ランプ２４１を消灯する際に使用したスイッチを再度押下することにより行なう。なお、ＣＰＵ２１１は、スイッチを再度押下したという指示信号に基づいて、画像表示検査装置２００の動作を停止させる訳であるが、その前に、ＣＰＵ２１１は、光源用冷却ファン２９０と液晶パネル用冷却ファン２９１との動作を所定の期間継続させる。その理由は、第１実施形態と同様であるため説明は省略する。そして、その期間が終了した場合、ＣＰＵ２１１は、電源の供給を停止させる信号を電源部２２０に出力することにより、電源部２２０は電力の供給を停止する。
以上のフローにより、画像表示検査が行なわれる。
【００７８】
上述した、第２実施形態によれば以下の効果が得られる。
（１）本実施形態の画像表示検査方法によれば、第１実施形態での効果（１）〜（３）と同様の効果を奏することができる。
【００７９】
（２）また、本実施形態の画像表示検査方法および画像表示検査装置２００によれば、検査する液晶パネル１００を実際に組み込むプロジェクタを用いて画像表示検査を行なう。詳細には、プロジェクタを構成する映像制御処理部２７０や光学系２４０などを用いて画像表示検査を行なう。従って、その映像制御処理部２７０や光学系２４０などが有する特性を含めた液晶パネル１００の画像表示検査を行なうことが可能となる。その結果として、検査した液晶パネル１００をプロジェクタに組み込んだ場合、プロジェクタは、プロジェクタ自身が有する特性を最大限に引出した最良の画質で画像を投写することができる。
【００８０】
なお、本発明は、上述した実施形態に限定されず、種々の変更や改良などを加えることが可能である。変形例を以下に述べる。
【００８１】
（変形例１）前記実施形態の画像表示検査方法では、液晶パネル１００の画像表示検査工程の前後において、液晶パネル１００の有する残留電荷を除去する工程を入れている。しかし、画像表示検査工程の前後の工程のどちらか一方の工程に液晶パネル１００の有する残留電荷を除去する工程を入れることでも、従来に比べて、適正な液晶パネル１００の検査を行なうことができるし、また、検査済みの液晶パネル１００の品質確保ができる。
【００８２】
（変形例２）前記実施形態では、液晶パネル１００を用いるプロジェクタを例として、画像表示検査方法および画像表示検査装置１，２００を説明しているが、プロジェクタに限らず、液晶パネル１００を用いる各種電子機器に適用できる。
【００８３】
（変形例３）前記実施形態では、透過型の液晶パネル１００を用いるプロジェクタを例として、画像表示検査方法および画像表示検査装置１，２００を説明しているが、これに限らず、反射型の液晶パネルを用いるプロジェクタに対しても画像表示検査方法を適用することができ、また、その画像表示検査方法を用いる画像表示検査装置も適用できる。
【００８４】
（変形例４）前記実施形態では、液晶パネル１００の電荷を除去する方法として、全透過させる駆動信号を液晶パネル１００に入力することにより、液晶パネル１００内の残留電荷を放電させている。しかし、これに限らず、液晶分子を強制的に一方向に向かせる駆動を行なうことであるならば良く、例えば、全黒の駆動（光束を全て透過させない駆動）信号を液晶パネル１００に入力することであっても良い。
【００８５】
（変形例５）前記第２実施形態の画像表示検査装置２００では、メイン制御部２１０内のＲＯＭ２１２に検査用のプログラムを記憶させているが、画像表示検査装置２００の外部から図示省略するバスラインに接続する構成の外部ＲＯＭを設け、その外部ＲＯＭ内に検査用のプログラムを記憶させ、外部制御部３００としてのパソコン（ＰＣ）を操作することにより画像表示検査を行なうことでも良い。
【００８６】
本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な、工程順序、構成部、構成部材の形状・材質・数量等において、当業者が様々な変形（変更ならびに改良）を加えることができるものである。従って、詳細な、工程順序、構成部、構成部材の形状・材質・数量等において、当業者が様々な変形を加えることにより実施する場合も本発明に含まれるものである。
【図面の簡単な説明】
【００８７】
【図１】本発明の第１実施形態に係る画像表示検査装置の概略の回路ブロック図。
【図２】画像表示検査装置を用いて画像表示検査を行なう工程の概略を示すフローチャート。
【図３】本発明の第２実施形態に係る画像表示検査装置の概略の回路ブロック図。
【図４】画像表示検査装置を用いて画像表示検査を行なう工程の概略を示すフローチャート。
【符号の説明】
【００８８】
１，２００…画像表示検査装置、１０，２１０…メイン制御部、１１，２１１…ＣＰＵ、１２，２１２…ＲＯＭ、３０，２３０…バラスト、４０，２４０…光学系、４１，２４１…光源ランプ、７０，２７０…映像制御処理部、７５，２７５…コネクタ部、９０，２９０…光源用冷却ファン、９１，２９１…液晶パネル用冷却ファン、１００…液晶パネル、１０１…ケーブル、３００…外部制御部、５００…スクリーン。
【図１】
2008129235.tif 000003
【図２】
2008129235.tif 000004
【図３】
2008129235.tif 000005
【図４】
2008129235.tif 000006